(57)【要約】      （修正有）【課題】米袋ごと装填する米びつにおいて、米が米袋以外に接触することなく計量カップへ流下する米びつを提供する。【解決手段】米びつ１は、米袋ごと装填する米びつにおいて、底部の長手方向が一方向に傾斜する傾斜底部を有し、その低部位に米袋の角部を露出させる底部開口を備えた、米袋を収容する内ケース２と、底部開口の下方で米袋の角部を外部から圧迫しての流下量調節手段と、内ケース２を載置する架台３と、を備えた。【選択図】図１
2017189563.tif 000002
【特許請求の範囲】
【請求項１】
米袋ごと装填する米びつにおいて、底部の長手方向が一方向に傾斜する傾斜底部を有し、その低部位に米袋の角部を露出させる底部開口を備えた、米袋を収容する内ケースと、前記底部開口の下方で前記米袋の角部を外部から圧迫しての流下量調節手段と、前記内ケースを載置する架台と、を備えたことを特徴とする米びつ。
【請求項２】
前記内ケースの上部外縁に鍔を設け、該鍔を少なくとも正面側には側壁のない前記架台に載置する構成の、請求項１記載の米びつ。
【請求項３】
前記流下量調節手段は、前記内ケースの正面側に突出するハンドル用軸と、回転と共に中心近傍から外側へ移動するガイド溝２本が、その中心点を対称の中心とする概ね点対称に配されたガイド板と一体となって、前記ハンドル用軸に回転自在に嵌入された調節ハンドルと、前記ハンドル用軸の上方に同じく突出するアーム用軸と、該アーム用軸に上端が回転自在に支持され、前記底部開口よりも低位置に下端を有し、その中ほどに従動ピンが突設されて、前記ハンドル用軸を左右に回避する形状の一対のアームであって、前記ガイド板の裏側から左用前記ガイド溝に左の前記従動ピンが、右用前記ガイド溝に右の前記従動ピンが嵌った状態で取り付けられた絞り具左アーム及び絞り具右アームと、前記内ケースの下面後方で、内ケースの左右間の略中心線上に設けられた垂直軸と、該垂直軸にその後端が回転自在に支持され、前記絞り具左アーム及び絞り具右アームの各々の下端の孔に前端の突起が嵌入された状態で取り付けられた左右一対の、同一高さで互いに当接するビームで、前記底部開口の下方で前記米袋の角部を間に挟んで前記垂直軸を支点に開閉動作をする絞り具ビームと、を備え、前記調節ハンドルを正方向に回すと、左右の前記従動ピンと前記絞り具アームが左右の前記ガイド溝によって前記ハンドル用軸側へ移動して、前記絞り具ビームが前記底部開口の下方で閉じ、且つ、前記調節ハンドルを逆方向に回すと前記絞り具ビームが開く、請求項１又は２に記載の米びつ。
【請求項４】
前記底部開口から前記傾斜底部の高部に向けて伸延する底部間隙を有する、請求項１から３のいずれかに記載の米びつ。
【発明の詳細な説明】
【技術分野】
【０００１】
本発明は、米袋ごと装填する米びつに関するものである。
【背景技術】
【０００２】
米を米袋ごと装填し、回転刃で袋の下面を切り裂いて米を計量筒へ落下させる米びつが提案されている（特許文献１参照）。米袋ごと装填するため作業が簡単であり、米を流し込む作業がないために、米をこぼすことのない米びつとなっている。
【０００３】
しかし、回転刃とその駆動軸、容器底部斜面および計量筒に米が接触するため、それらの部材に米糠が多量に付着してしまい、米びつ内に一度虫が発生すると、その付着した米糠の層に幼虫又は卵が残り、次に米が袋ごと変わっても虫の発生が継続するという問題があった。
【０００４】
そして、無洗米を次に装填した場合には、その付着した米糠によって無洗米が汚れるという不具合があり、または最初から無洗米のみに使用している場合でも、米びつ内を適時洗浄することが必要とされるが、それらの部材を洗浄することは非常に困難であった。
【先行技術文献】
【特許文献】
【０００５】
【特許文献１】特許第２９８０８５１号公報
【発明の概要】
【発明が解決しようとする課題】
【０００６】
本発明は上記の問題を解決するためになされたものであって、米が米袋以外に接触することなく計量カップへ流下する米びつを提供することを目的としている。
【課題を解決するための手段】
【０００７】
前記課題を解決するため、本発明に係る米びつは、米袋ごと装填する米びつにおいて、底部の長手方向が一方向に傾斜する傾斜底部を有し、その低部位に米袋の角部を露出させる底部開口を備えた、米袋を収容する内ケースと、前記底部開口の下方で前記米袋の角部を外部から圧迫しての流下量調節手段と、前記内ケースを載置する架台と、を備えたことを特徴としている。
【０００８】
上記の構成によれば、米びつに装填した米袋の下部の角部をハサミで切断してその開口幅がおよそ５センチメートルとなるよう角部開口を設けておき（手順は後述）、角部開口の上部を外部から圧迫して流下量を調節しながら米を流下させることにより、米を米袋以外に接触させることなく計量カップへ移すことができる。
【０００９】
また本発明において、前記内ケースの上部外縁に鍔を設け、該鍔を少なくとも正面側には側壁のない前記架台に載置するよう構成することが好ましい。
【００１０】
上記の構成によれば、米袋を収容した内ケースの鍔を持ち、架台の側壁のない正面側から挿入すれば、持ちやすく、また米袋を高く持ち上げずとも装填することができる。
【００１１】
また本発明において、前記流下量調節手段は、前記内ケースの正面側に突出するハンドル用軸と、回転と共に中心近傍から外側へ移動するガイド溝２本が、その中心点を対称の中心とする概ね点対称に配されたガイド板と一体となって、前記ハンドル用軸に回転自在に嵌入された調節ハンドルと、前記ハンドル用軸の上方に同じく突出するアーム用軸と、該アーム用軸に上端が回転自在に支持され、前記底部開口よりも低位置に下端を有し、その中ほどに従動ピンが突設されて、前記ハンドル用軸を左右に回避する形状の一対のアームであって、前記ガイド板の裏側から左用前記ガイド溝に左の前記従動ピンが、右用前記ガイド溝に右の前記従動ピンが嵌った状態で取り付けられた絞り具左アーム及び絞り具右アームと、前記内ケースの下面後方で、内ケースの左右間の略中心線上に設けられた垂直軸と、該垂直軸にその後端が回転自在に支持され、前記絞り具左アーム及び絞り具右アームの各々の下端の孔に前端の突起が嵌入された状態で取り付けられた左右一対の、同一高さで互いに当接するビームで、前記底部開口の下方で前記米袋の角部を間に挟んで前記垂直軸を支点に開閉動作をする絞り具ビームと、を備え、前記調節ハンドルを正方向に回すと、左右の前記従動ピンと前記絞り具アームが左右の前記ガイド溝によって前記ハンドル用軸側へ移動して、前記絞り具ビームが前記底部開口の下方で閉じ、且つ、前記調節ハンドルを逆方向に回すと前記絞り具ビームが開くよう構成することが好ましい。
【００１２】
上記のうち、「内ケースの正面側」とは、傾斜した状態で装填された米袋が前傾する方向の内ケースの外面を示し、「左右」および「後方」とは、その正面側から見た方向を示している。また「点対称に配された」とは、ガイド板の中心である対称の中心を境に相対する位置にあって、ガイド溝の左右と上下の双方が逆になって配されたことを意味し、本実施形態では従動ピンがアーム用軸を支点に円運動を行うことにより、アームが左右に開いたときに従動ピンが上方へ移動することに起因して、左右のガイド溝の長さが若干異なっているため、「概ね点対称に」の表現をとっている。また「正方向」と「逆方向」は互いに反する回転方向であることを意味し、何れが右回りであってもよい。上記の構成によれば、調節ハンドルにて米の流下量を調節しながら計量カップへ米を移すことができる。
【００１３】
また本発明において、前記底部開口から前記傾斜底部の高部に向けて伸延する底部間隙を有するようにすることが好ましい。
【００１４】
底部間隙がない場合は、袋の下部の接合部が袋の一方の面側に直角に折れ曲がり、その影響で露出した米袋の角部の接合部も捩れた状態となるが、絞り具ビームが閉じてそれ以下の袋が平たく閉じた状態では、接合部の捩れによって袋の２面間に歪みが生じて柔軟性が減少し、次に絞り具ビームが開いて米の圧力が加わっても袋の角部開口が開きにくいが、上記の構成のように底部間隙があれば、米袋の接合部を底部間隙から垂直に下方に出すことによって、露出した米袋の角部の接合部の捩れがなくなるため、袋の柔軟性が保たれて角部開口が開きやすくなる。
【発明の効果】
【００１５】
本発明によれば、米が米袋以外に接触しないので、衛生的かつ洗浄の必要がない米びつを提供することができる。
【図面の簡単な説明】
【００１６】
【図１】米びつの正面図である。
【図２】架台と上部ケースを断面とした米びつの右側面図である。
【図３】米袋を収容した内ケースの右側面図である。
【図４】閉じ具、絞り具の拡大図である。
【図５】米袋を収容した内ケースの背面図である。
【図６】内ケースの平面図である。
【図７】内ケースの正面図であり、（ａ）は閉じ具の閉状態、（ｂ）は閉じ具の開状態を示す図である。
【図８】閉じ具ビームの平面図であり、（ａ）は閉状態、（ｂ）は開状態を示す図である。
【図９】閉じ具を省略した内ケースの正面図であり、（ａ）は絞り具の閉状態、（ｂ）は絞り具の開状態を示す図である。
【図１０】絞り具ビームの平面図であり、（ａ）は閉状態、（ｂ）は開状態を示す図である。
【図１１】絞り具の拡大図で、米の流下量調節状態を示す図である。
【図１２】架台の正面図である。
【図１３】架台の平面図である。
【図１４】他の絞り具ビームの形状を示す断面図であり、（ａ）は流下量調節状態、（ｂ）は閉状態を示す。
【発明を実施するための形態】
【００１７】
以下、本発明の実施の形態について図面に基づいて説明する。
【００１８】
［米びつの構成］
図１、図２に示すように米びつ１は、米を袋ごと収容した内ケース２が、内ケース２の上部の鍔２ａを架台３の上部に載置することによって、架台３内に懸装されていて、米袋５の上部を覆う形で上部ケース４が鍔２ａ上に載置されており、内ケース２の下方には計量カップ６が設置された構成となっている。尚、本実施形態の各図面は１０キログラム入り米袋を適用した図で表されている。
【００１９】
図３に示すように、米袋５は立てた状態で内ケース２におよそ半分の高さまでが収容されており、内ケース２は図の左側である正面側の側壁が正面側の方向へ傾斜して、下部は正面側の方が低くなる傾斜底部２ｂを有し、その傾斜の低部位は略水平に切断された状態の底部開口２ｃ(図６)が設けられていて、その底部開口２ｃから傾斜底部２ｂの高部に向けて伸延する底部間隙２ｄが開設されている。内ケース２の上部外縁には全周に亘って鍔２ａが形設されており、また正面側寄りの左右の側面には下方へ延びる脚２ｅが設けられている。
【００２０】
内ケース２には図４、図１１に示す絞り具が装備されている。内ケース２の正面側の側壁にハンドル用軸１０が突設されており、そのハンドル用軸１０に調節ハンドル１１とガイド板１２が一体となって回転自在に嵌入されている。ガイド板１２には左回転と共に中心近傍から外側へ移動する２本のガイド溝１３、１４がその中心点を対称の中心とする概ね点対称に配設されている（注１）。ハンドル用軸１０の上方に同じく突設されたアーム用軸１５があり、左右一対のアーム１６，１７が上端をアーム用軸１５に回転自在に支持され、下端は底部開口２ｃよりも下方に位置して、中ほどはハンドル用軸１０を左右に回避するように曲折していて、その曲折部近傍に従動ピン１８が突設されており、ガイド板１２の裏側から左用ガイド溝１３に絞り具左アーム１６の従動ピン１８が、右用ガイド溝１４に絞り具右アーム１７の従動ピン１８が嵌った状態で組み立てられている。
（注１) 左用ガイド溝１３に対して右用ガイド溝１４は、左右と上下の双方が逆となって中心点の反対側に配されており、従動ピン１８がアーム用軸１５を支点に円運動を行うことにより、一対のアーム１６，１７が左右に開いたときに従動ピン１８が上方へ移動することに起因して、左右のガイド溝１３，１４の長さが若干異なっている。
【００２１】
図４、図５に示すように、内ケース２後方の下面に下向きに左右２本の後部支柱２１が形設されており、それらの下端を連結する梁２２がボルトにより取り付けられていて、梁２２の上面の中央には短管２３がボルトによって取り付けられて垂直軸２４を形成している。同一高さで互いに当接する一対の絞り具ビーム２５の後端が垂直軸２４に回転自在に支持され、前端の突起２６が絞り具左アーム１６と絞り具右アーム１７の下端に穿設された孔に嵌め込こまれた状態で取り付けられており（図１１）、調節ハンドル１１を右回りに回すと左右の絞り具アーム１６，１７と従動ピン１８がガイド溝１３，１４によってハンドル用軸１０側へ移動して（図９（ａ））、底部開口２ｃの下方で絞り具ビーム２５が垂直軸２４を支点にして閉じ（図１０（ａ））、調節ハンドル１１を左回りに回すと絞り具ビーム２５が開く（図９（ｂ）、図１０（ｂ））動作が行われる。
【００２２】
また、内ケース２には図４、図７に示す閉じ具が装備されている。絞り具アーム１６，１７と同様に、アーム用軸１５に左右一対の閉じ具アーム３１，３２の上端が回転自在に支持され、下端は絞り具アーム１６，１７の下端よりも低位置にあり、中ほどは調節ハンドル１１の小径部を左右に回避するように半月状に切り欠かれている。絞り具ビーム２５の下段には同様に一対の閉じ具ビーム３３が装備されており、後端が垂直軸２４に回転自在に支持され、前端の突起３４が閉じ具左アーム３１と閉じ具右アーム３２の下端に穿設された孔に嵌め込こまれた状態で取り付けられている。また垂直軸２４には捩じりコイルばね３５が遊嵌されており、ばねの両端が左右のビームの縦孔に挿入されていて、閉じ具ビーム３３が左右に開く方向に付勢する。突起３４の先端にはつまみ３６が嵌着されており、閉じ具左アーム３１側のつまみ３６の上方には固定ピン３７が突設され、閉じ具右アーム３２側のつまみ３６の上方には支軸３８が突設されて、その支軸３８に留具３９が回転自在に嵌装されている。左右のつまみ３６を指で挟んで閉じ具を閉じ、固定ピン３７に留具３９を掛けることによって、閉じ具を閉状態で固定することができる。
【００２３】
図１２、図１３には内ケース２を載置する架台３が示されている。側壁は左右と背面の３方のみで、正面側には側壁がなく上部から見てＵ字形となっており、内ケース２の左右の鍔２ａを持って架台３に載置したときに手の指が架台３に当たらぬよう、左右各々の上面の中央部は一段下がった形状となっている（図２）。底板４０の下面には前部の左右に固定脚４１が形設されて、後部の左右にはキャスター４２が取り付けられており、底板４０の上面には計量カップ６が設置されている。
【００２４】
絞り具ビーム２５は米２７の流下中に絞り込むので、全閉時には米粒を噛み込んでいることがあるため、その下段に閉じ具ビーム３３を設けて密閉を図っているが、これを、閉じ具を廃止すると共に絞り具ビーム２５の代わりに、図１４のように絞り具ビームと閉じ具ビームの両方の機能を一つにまとめた絞り具ビーム２５ａとしてもよい。図１４（ａ）の米袋５に接触している台形の部材がゴムのような弾性体のため、米粒を噛み込んでも下部の凸部で密閉することができる。
【００２５】
［米びつの使用法］
床に寝かせて置いた米袋５の一方の端に上部ケース４を横から被せて、上部ケース４が下になるように米袋５と上部ケース４を一緒に起こし、米袋５の上部を手で押して上端が傾斜するよう整形する。次に内ケース２を上下逆さまにして、閉じ具の留具３９を固定ピン３７から外すと捩じりコイルばね３５の付勢力によって閉じ具ビーム３３が開き、絞り具の調節ハンドル１１を左回りに回して絞り具ビーム２５も最大に開いておいて、内ケース２の正面側が米袋５の上端の傾斜の高部側となる向きに内ケース２を米袋５に被せる。米袋５の接合部９を底部間隙２ｄを通して外部へ出すと共に、底部開口２ｃから米袋の角部７を出し、袋の先端を底部開口２ｃと平行にハサミで切断してその開口幅がおよそ５センチメートルとなるように角部開口８を設ける。閉じ具の２つのつまみ３６を指で挟んで、角部開口８から約１センチメートル下の箇所を閉じ具ビーム３３で閉じ、留具３９を掛けて固定し、次に絞り具の調節ハンドル１１を右回りに回して絞り具ビーム２５も閉じる。
【００２６】
内ケース２と上部ケース４が離れないように手で押さえながら、左右の何れかの方向へ倒し、更にもう一度同じ方向へ倒して、上部ケース４が上で内ケース２が下の正規の向きに立てる。このとき、内ケース２の脚２ｅと梁２２が床に接した状態で立つことになる。内ケース２の左右の鍔２ａと上部ケース４の座部を一緒に持って持ち上げ、架台３の側壁のない正面側から挿入して鍔２ａを架台３の上面に載置すると米袋５の米びつ１への装填が完了する。このように滑って持ちにくい米袋５が内ケース２の鍔２ａを持つことによって持ちやすくなり、また米袋５を高く持ち上げずとも、内ケース２を床から１７〜２０センチメートル持ち上げるだけで、米袋５を米びつ１へ装填することができる。
【００２７】
計量カップ６を袋の角部開口８の下に置いてから、閉じ具の留具３９を外して閉じ具ビーム３３を開き、続いて調節ハンドル１１を左回りに徐々に回すと、絞り具ビーム２５が開いて米２７が流下し始め、米２７の圧力で袋の角部開口８が開いて、米２７が計量カップ６へ流下する。調節ハンドル１１をさらに左へ回して米２７を勢いよく流下させて、計量カップ６への米２７の量が予定量に達する少し手前で、調節ハンドル１１を右回りに回し、絞り具ビーム２５を少し閉じて流下量を減じ、予定量に達した時点で絞り具ビーム２５を閉じて米２７の流下を止める。最後に閉じ具ビーム３３を閉じて留具３９を掛ける。このように、米２７を米袋５以外に接触させることなく計量カップ６へ移すことができるので、米びつ１内が米糠によって汚れることがなく、それによる虫の発生もない。また、無洗米に使用する場合においても米びつ１内の洗浄を必要としない。
【符号の説明】
【００２８】
１    米びつ
２    内ケース
２ａ    鍔
２ｂ    傾斜底部
２ｃ    底部開口
２ｄ    底部間隙
２ｅ    脚
３    架台
４    上部ケース
５    米袋
６    計量カップ
７    米袋の角部
８    角部開口
９    接合部
１１    調節ハンドル
１２    ガイド板
１３    左用ガイド溝
１４    右用ガイド溝
１６    絞り具左アーム
１７    絞り具右アーム
１８    従動ピン
２４    垂直軸
２５    絞り具ビーム
２５ａ    絞り具ビーム
２７    米
３１    閉じ具左アーム
３２    閉じ具右アーム
３３    閉じ具ビーム
３５    捩じりコイルばね
３７    固定ピン
３９    留具
【図１】
2017189563.tif 000003
【図２】
2017189563.tif 000004
【図３】
2017189563.tif 000005
【図４】
2017189563.tif 000006
【図５】
2017189563.tif 000007
【図６】
2017189563.tif 000008
【図７】
2017189563.tif 000009
【図８】
2017189563.tif 000010
【図９】
2017189563.tif 000011
【図１０】
2017189563.tif 000012
【図１１】
2017189563.tif 000013
【図１２】
2017189563.tif 000014
【図１３】
2017189563.tif 000015
【図１４】
2017189563.tif 000016